(57)【要約】      （修正有）【課題】所望の重量を得るように、煩雑な操作を行うことなく、所定重量の重りを装填し得るエクササイズ機を提供する。【解決手段】フレームは、２つの主ガイドロッド１８；２つの副ガイドロッド１９；これらの主ガイドロッド及び副ガイドロッドに平行な受動ロッド１７；少なくとも１つの主重り３；セレクター５：下基板２３と上基板２４とを有するベース；下基板と下基板とに結合された２つのスリーブ；フロントシート４１とリアシート４２の円形ホール及び受動ロッドを貫通し得る少なくとも１つのピン８，９；及び少なくとも１つの副重り６；を有する。上述の部材により、セレクターは、所定数の主重りをロックする機能を有し、ピンは、全重量を増加させるように副重りに挿入する。応力適用ユニットは、筋肉をトレーニングする目的を達成するため、主ガイドロッドと副ガイドロッドとに沿って動作するように主重り及び副重りを駆動させる受動ロッドを駆動させる機能を有する。【選択図】図２
0003111500.tif 000002
【実用新案登録請求の範囲】
【請求項１】
床に確実に載置され得るフレームを有するカウンタウェイトエクササイズ機であって、前記フレームは：
２つの主ガイドロッド；
２つの副ガイドロッド；
前記の２つの主ガイドロッドに平行な受動ロッド；
所定の重量を有し、前記の２つの主ガイドロッドに導入される、少なくとも１つの主重り；
隣り合う２つの主重りに挿入され得る、前記受動ロッドに係合されるセレクター；
下基板と上基板とを有するベース；及び
前記下基板と前記上基板とに結合され、前記の２つの主ガイドロッドを包含する、２つのスリーブ；
を有し、
前記ベースは、一体型となるように、前記受動ロッドに係合され、
前記下基板は、フロントシートとリアシートとを有し、
該フロントシート及び該リアシートのそれぞれは、少なくとも１つの円形ホールを有し、
前記フレームはさらに：
前記フロントシート及び前記リアシートの前記円形ホール並びに前記受動ロッドを貫通し得る少なくとも１つのピン；並びに
前記主重りよりも少ない重量を有する少なくとも１つの副重りであって、該副重りの２つの対向する側面は、前記の２つの副ガイドロッドに垂直に係合する垂直貫通円形ホールを有し、該副重りの中央には、前記ピンの一端を受けるバイアホールを有する、副重り；
を有し、
前記セレクターは、所定数の前記主重りをロックする機能を有し、
前記ピンは、全重量を増加させるように前記副重りに挿入し、
応力適用ユニットは、トレーニングの目的を達成するため、前記主ガイドロッドと副ガイドロッドとに沿って動作するように前記主重り及び副重りを駆動するように前記受動ロッドを駆動させる機能を有する、
ことを特徴とするカウンタウェイトエクササイズ機。
【請求項２】
前記ピンのそれぞれは、所定の距離だけ離れた２つの磁気シートを有し、
該２つの磁気シートは、前記フロントシートの２つの側面に配置され、
前記副重りがロックされ或いはロックされない場合、前記フロントシートは、前記ピンが放出されないように、吸収されることを特徴とする請求項１に記載のカウンタウェイトエクササイズ機。
【請求項３】
前記副重りの前記バイアホールの上端は、前記ピンが切断されないように、前記ピンの端部を押しやるノッチを有することを特徴とする請求項１に記載のカウンタウェイトエクササイズ機。
【考案の詳細な説明】
【技術分野】
【０００１】
本考案は、エクササイズ機に係り、特に、主重りと副重りとを有するカウンタウェイトエクササイズ機に関する。副重りは、ガイドロッドの２つのセット上で、主重りで動作されるように少なくとも１つのピンで固定されている。これらの異なる重りは、ユーザーの身体条件や意思に従って、ユーザーの筋肉をトレーニングするため所望する重量を有するように組み立て可能である。
【背景技術】
【０００２】
現在のカウンタウェイトエクササイズ機は、複数の重りを支持するためのフレームを有する。ユーザーは、ユーザーの腕や脚を水平方向に鍛えるため、所望する数の重りを組み立てる。ユーザーは、重りの重量をつりあわせるように応力を適用してユーザーの筋肉を鍛え得る。種々の向上された設計において、複数の副重りを主重りと使用して、ユーザーが所望の重量を有する複数の重りを組み立て得る。しかしながら、これらの複数の副重りは、主重りに直接加えられ、ユーザーは、主重りから副重りを取り外すという不便さがある。
【考案の開示】
【考案が解決しようとする課題】
【０００３】
本考案の主目的は、主重りと副重りとを有するカウンタウェイトエクササイズ機を提供することである。この副重りは、ガイドロッドの２つのセット上で、主重りで動作されるように、少なくとも１つのピンで固定される。
【課題を解決するための手段】
【０００４】
カウンタウェイトエクササイズ機は、フレームを有する。このフレームは、２つの主ガイドロッドと；２つの副ガイドロッドと；２つの主ガイドロッドに平行な受動ロッドと；少なくとも１つの主重りと；セレクターと；底基板と上基板とを有するベースと；この底基板と上基板とに結合された２つのスリーブと；フロントシートとリアシートと受動ロッドとの円形ホールを通過し得る少なくとも１つのピンと；少なくとも１つの副重り；とを備える。上述の部材により、セレクターは、所定数の主重りをロックするように機能し、ピンは、全重量を増加させるように、副重りに挿入する。応力適用ユニットは、筋肉を鍛える目的を達成するため、主ガイドロッドと副ガイドロッドに沿って動作する主重りと副重りとを駆動するように、受動ロッドを駆動させる機能を有する。
【０００５】
本考案の種々の目的及び利点は、添付した図面とともに以下の詳細な説明から即座に理解されるであろう。
【考案の効果】
【０００６】
所望の重量を得るように、煩雑な操作を行うことなく、所定重量の重りを装填し得るエクササイズ機を提供する。
【考案を実施するための最良の形態】
【０００７】
本考案を当業者にさらに理解させることを目的として、本考案を以下に詳細に説明する。しかしながら、これらの記載及び添付した図面は、当業者に本考案の目的、特性及び特徴を理解させるためにのみなすものであって、添付した請求項に規定される本考案の範囲及び精神を限定するためになされるものではない。
【０００８】
図１及び図２には、本考案によるカウンタウェイトエクササイズ機を示す。カウンタウェイトエクササイズ機は、床に着実に載置し得るフレーム１０を有する。フレーム１０は、直状ロッド１１、２つのキャンバーロッド１２及び横ロッド１３で形成される。フレーム１０は、その上に適用される重量ユニットを支持するのに十分である。この重量ユニットは、所定の複数の主重り３で形成される。主重り３は、２つの主ガイドロッド１８と受動ロッド１７とに導入される。主重り３は、受動ロッド１７の下部のギャップ３０に載置される。主重り３の数は、セレクター５で決定される。セレクター５は、受動ロッド１７の環状溝１７０に係合される。これにより、複数の主重り３は、受動ロッド１７にロックされる。シャフト１４０は、回転ホイル１４と偏心ホイル１５とを固定するように、キャンバーロッド１２から伸びる。これにより、横ロッド１３と偏心ホイル１５とは、同期して回転する。偏心ホイル１５は、ベルト１７３を用いて受動ロッド１７に結合される。回転ホイル１４から伸びるリンケージロッド１４は、ポスト１４２を介して応力適用ユニット１６に結合される。応力適用ユニット１６がユーザーからの応力で駆動されると、ユーザーのヒールは、応力適用ユニット１６を持ち上げるように応力を適用し、回転ホイル１４と偏心ホイル１５とを時計回りに同期して回転する。ユーザーのヒールは、ユーザーの筋肉が鍛えられるように、主重り３の重量とバランスを取るように機能する。同様に、応力適用ユニット１６は、ユーザーの腕を鍛えるのにも使用され得る。上述と同様の効果により、本考案においては、ユーザーの脚及びヒールが上述のように使用されると、シート１６１は、本考案のカウンタウェイトエクササイズ機から離れて導入されてもよく、ユーザーは、脚が応力適用ユニット１６を持ち上げ得るように、シート１６１上に着座してもよい。
【０００９】
各主重り３は、所定の同様の重量を有する。これにより、全重量は、各主重り３の重量の積分時間となる。主重り３の組立に他の選択枝を与えるように、副重りが設計される。各副重りの重量は、主重り３の一部である。図２及び図３を参照すると、ベース２は、下基板２３、上基板２４及び下基板２３と上基板２４との間に２つのスリーブ２１、２２とを有する。スリーブ２１、２２は、２つの主ガイドロッド１８を包含する。ベース２の中心部分は、受動ロッド１７の上部分に固定される。フロントシート４１及びリアシート４２は、下基板２３に固定される。フロントシート４１は、上円形ホール４１０と下円形ホール４１１とを有する。リアシート４２は、上円形ホール４２０と下円形ホール４２１とを有する。図４を参照すると、上ピン８及び下ピン９は、フロントシート４１、リアシート４２、上円形ホール４１０、４１１、上円形ホール４２０、４２１、並びに受動ロッド１７の下円形ホール１７２及び上円形ホール１７１を貫通する。上ピン８及び下ピン９のそれぞれは、応力適用部分を有する。つまり、上ピンの遠端部は、磁気シート８１、８２を有し、下ピンの遠端部は、磁気シート８１、８２に対応した磁気シート９１、９２を有する。磁気シート８１、８２、９１、９２は、フロントシート４１から離れて載置する。上ピン８及び下ピン９が上円形ホール４２０、４２１に挿入されると、磁気シート８１、９１は、鉄製のフロントシート４１を吸収する。逆に、上ピン８及び下ピン９が、リアシート４２の上円形ホール４２０、４２１から取り外されると、磁気シート８１、９１は、フロントシート４１の内部横表面に吸収される。磁気シート８１、８２、９１、９２により、上ピン８及び下ピン９は、安定化し、容易に取り外されなくなる。
【００１０】
本考案において、少なくとも１つの副重り６を有する。この実施例において、説明上、２つの副重り６、７を用いる。２つの副重り６、７は、同様の重量であっても、異なった重量であってもよいが、いずれの重量も、主重り３の重量よりも小さい。図３に示すように、副重り６の一側面には、垂直貫通円形ホール６０を有し、副重り７の一側面には、垂直貫通円形ホール７０を有する。垂直貫通円形ホール６０、７０は、フレーム１０の２つの垂直な副ガイドロッド１９に係合され、副重り６、７の中央部分は、同様の水平線において上円形ホール４１０、４２０、４１１、４２１に配列されたバイアホール６１、７１を有する。副重り６、７のバイアホール６１、７１の上端部には、ノッチ６２、７２を有する。
【００１１】
上述したように、セレクター５は、所望よりも少なく、複数の主重り３を固定し得る。その後、複数の副重りを加える。上ピン８は、副重り６のバイアホール６１を貫通し得る。副重り７は、下ピン９で固定されない。受動ロッド１７が上方へ持ち上げられると、その他の主重り３は、主ガイドロッド１８に沿って持ち上げられるが、副重り６は、副ガイドロッド１９に沿って持ち上げられる（図５参照）。従って、図４に示すように、トレーニングのため、より多くの重量を加え得る。主重り３及び副重り６、７が図６及び図７に示す通りロックされると、ユーザーは、主重り及び副重りを均衡させるための受動ロッド１７を持ち上げるように応力を適用するのみでよく、ユーザーはトレーニングの目的を達成し得る。
【００１２】
本考案において、磁気シート８１、８２、９１、９２は、上ピン８と副重り６とをフロントシート４１に固定する機能を有する。上ピン８及び下ピン９が副重り６、７をロックするのに使用されず且つ磁気シート８１、９１がフロントシート４１に吸収される場合、受動ロッド１７は、副重り６の上昇を降下させ、上ピン８及び下ピン９の第一端部（ｆｏｒｅｍｏｓｔ  ｅｎｄ）は、副重り６のノッチ６２に起因して、押しやられる。上ピン８、９が切断されないだけでなく、磁気シート８２、９２は、安全な状態で保持されるように、フロントシート４１に吸収される。
【００１３】
要約すると、本考案において、フレーム１０は、主ガイドロッド１８と副ガイドロッド１９とで導入される。主ガイドロッド１８は、複数の主重り３を有する。副ガイドロッド１９は、少なくとも１つの副重り６を有する。セレクター５は、主重り３をロックする機能を有する。上ピン８及び下ピン９は、副重り６、７をロックする機能を有する。これにより、ユーザーは、トレーニングに所望の重量を選択し得る。
【００１４】
上述の通り、本考案について述べてきたが、同様のことが異なる方式で改変され得ることは明らかである。かかる改変は、本考案の精神及び範囲からはなれたものとしてみなされるべきではなく、かかる改変の全ては、添付した請求項の範囲を包含することを意図するものとして、当業者に明らかであろう。
【図面の簡単な説明】
【００１５】
【図１】本考案の斜視図である。
【図２】本考案のフレーム及び重りに関する斜視図である。
【図３】本考案の主重り及び副重りに関する概略斜視図である。
【図４】上ピン、下ピン及び副重りとを組み合わせた断面図である。
【図５】図４による動作を示す。
【図６】図２の構造図である。
【図７】図２の他の構造図である。
【符号の説明】
【００１６】
２        ベース
３        主重り
５        セレクター
６        副重り
７        副重り
８        上ピン
９        下ピン
１０      フレーム
１１      直状ロッド
１２      キャンバーロッド
１３      横ロッド
１４      回転ホイル
１５      偏心ホイル
１６      応力適用ユニット
１７      受動ロッド
１８      主ガイドロッド
１９      副ガイドロッド
２１      スリーブ
２２      スリーブ
２３      下基板
２４      上基板
３０      ギャップ
４１      フロントシート
４２      リアシート
６０      垂直貫通円形ホール
６１      バイアホール
６２      ノッチ
７０      垂直貫通円形ホール
７１      バイアホール
７２      ノッチ
８１      磁気シート
８２      磁気シート
９１      磁気シート
９２      磁気シート
１４０    シャフト
１４２    ポスト
１６１    シート
１７０    環状溝
１７１    上円形ホール
１７２    下円形ホール
１７３    ベルト
４１０    上円形ホール
４１１    下円形ホール
４２０    上円形ホール
４２１    下円形ホール
【図１】
0003111500.tif 000003
【図２】
0003111500.tif 000004
【図３】
0003111500.tif 000005
【図４】
0003111500.tif 000006
【図５】
0003111500.tif 000007
【図６】
0003111500.tif 000008
【図７】
0003111500.tif 000009